【手続補正書】
【提出日】平成25年5月16日(2013.5.16)
【手続補正１】
【補正対象書類名】特許請求の範囲
【補正対象項目名】全文
【補正方法】変更
【補正の内容】
【特許請求の範囲】
【請求項１】
半月板修復縫合糸パサーデバイスにおいて、
長さ方向軸線に沿って遠位方向及び近位方向に延びる細長い第１アームと、
前記第１アームと隣接して前記長さ方向軸線に沿って延びる細長い第２アームとを含み、
前記第１アームは、前記第２アームに対し、前記長さ方向軸線に沿って遠位方向及び近位方向に軸線方向で移動自在であり、前記第２アームの遠位端領域は、前記長さ方向軸線から遠ざかる方向に曲がっており、前記第１アームを前記第２アームに対して遠位方向に延ばしたとき、前記第２アームと前記第１アームとの間に遠位開口部を形成し、
更に、前記遠位開口部を横切って前記第１アームと前記第２アームとの間を延び、これらのアーム間で縫合糸を通す組織ペネトレータを含む、デバイス。
【請求項２】
請求項１に記載のデバイスにおいて、
前記組織ペネトレータは、縫合糸シャットルに取り外し自在に連結されるように形成されており、前記縫合糸シャットルは、前記縫合糸を運ぶように形成されている、デバイス。
【請求項３】
請求項１に記載のデバイスにおいて、
前記遠位開口部は、半月板にフィットする形態の鋭角をなした遠位方向に向いた開口部である、デバイス。
【請求項４】
請求項１に記載のデバイスにおいて、
前記遠位開口部は、前記第１アームを前記第２アームに対して遠位方向に延ばしたとき、前記第２アームと前記第１アームとの間のｖ字形状遠位開口部であり、半月板を受け入れるように形成されている、デバイス。
【請求項５】
請求項１に記載のデバイスにおいて、
前記組織ペネトレータは、前記第１アームの前記遠位端内に収容されるように形成されている、デバイス。
【請求項６】
請求項１に記載のデバイスにおいて、
前記第２アーム及び前記第１アームの前記遠位端のチップには丸みが付けてあり、非外傷性である、デバイス。
【請求項７】
請求項１に記載のデバイスにおいて、更に、
少なくとも前記第１アームの前記遠位端領域を前記第２アームに対して軸線方向に移動するための第１制御装置を持つ近位ハンドルを含む、デバイス。
【請求項８】
請求項１に記載のデバイスにおいて、更に、
前記遠位開口部を横切って前記組織ペネトレータを延ばしたり引っ込めたりするのを制御するための組織ペネトレータ制御装置を持つ近位ハンドルを含む、デバイス。
【請求項９】
請求項１に記載のデバイスにおいて、更に、
前記第２アームの前記遠位端領域に設けられたドックを含み、このドックは、前記縫合糸の解放及び保持を交互に行うように形成されており、これによって、組織ペネトレータは、前記縫合糸を、前記第１アームから前記第２アームまで通すことができ、及び前記第１アームに戻すことができる、デバイス。
【請求項１０】
請求項１に記載のデバイスにおいて、更に、
前記第２アームの前記遠位端領域に設けられたシャットルドックを含み、このシャットルドックは、前記縫合糸シャットルの解放及び保持を交互に行うように形成されており、これによって、前記組織ペネトレータは、前記縫合糸シャットルを、前記第１アームから前記第２アームまで通すことができ、及び前記第１アームに戻すことができる、デバイス。
【請求項１１】
請求項１に記載のデバイスにおいて、更に、
前記第２アームの前記遠位端領域に設けられた複数のシャットルドックを含み、これらのシャットルドックは、前記縫合糸シャットルの解放及び保持を交互に行うように形成されており、これによって、前記組織ペネトレータは、前記縫合糸シャットルを、前記第１アームから前記第２アームまで通すことができ、及び前記第１アームに戻すことができる、デバイス。
【請求項１２】
請求項１に記載のデバイスにおいて、
前記組織ペネトレータは、前記遠位開口部を横切って湾曲した経路内を延びるように形成されている、デバイス。
【請求項１３】
請求項１に記載のデバイスにおいて、
前記組織ペネトレータは湾曲している、デバイス。
【請求項１４】
請求項１に記載のデバイスにおいて、
前記組織ペネトレータは、縫合糸シャットルが解放自在に固定されるクリップ領域を含む、デバイス。
【請求項１５】
請求項１に記載のデバイスにおいて、
前記第２アームは、前記デバイスから取り外すことができるように形成されている、デバイス。
【請求項１６】
請求項１に記載のデバイスにおいて、
前記第２アームは使い捨てであるように、及び再使用可能な第１アームに取り外し自在に連結されるように形成されている、デバイス。
【請求項１７】
請求項１に記載のデバイスにおいて、更に、
前記デバイスの前記長さ方向軸線に沿った前記第１アームの遠位方向への前記第２アームに対する移動を制限する第１アームストップを含む、デバイス。
【請求項１８】
請求項１に記載のデバイスにおいて、更に、
前記デバイスの長さ方向軸線に沿った前記遠位端から近位端までの前記第１アームの軸線方向位置を表示する複数のストップを含む、デバイス。
【請求項１９】
請求項１に記載の半月板修復縫合糸パサー及び縫合糸シャットルを含むキット。
【請求項２０】
請求項１９に記載のキットにおいて、更に、
縫合糸を含む、キット。
【請求項２１】
半月板に縫合糸を通すための半月板修復縫合糸パサーデバイスにおいて、
長さ方向軸線に沿って遠位方向及び近位方向に延びる細長いシャフトと、
前記長さ方向軸線に対して遠位方向及び近位方向に移動自在の第１アームとを含み、
前記シャフトは、前記シャフトの前記長さ方向軸線から遠ざかる方向に湾曲した第２遠位端領域を含み、この第２遠位端領域は、前記第１アームを遠位方向に延ばしたとき、前記第１アームとｖ字形状遠位開口部を形成し、更に、
前記第２アームと前記第１アームとの間の前記遠位開口部を横切って、湾曲した経路を延び、縫合糸シャットルをこれらのアーム間に通すように形成された組織ペネトレータと、
前記組織ペネトレータへの前記縫合糸シャットルの解放及び前記縫合糸シャットルを前記組織ペネトレータから受け取って保持することを交互に行うように形成された開口部を持つシャットルドックとを含む、デバイス。
【請求項２２】
請求項２１に記載のデバイスにおいて、
前記シャットルドックは、前記組織ペネトレータへの前記縫合糸シャットルの解放及び前記縫合糸シャットルを前記組織ペネトレータから受け取って保持することを交互に行うように形成された解放自在の係止体を含む、デバイス。
【請求項２３】
請求項２１に記載のデバイスにおいて、
前記シャットルドックは、前記シャフトの前記第２遠位端領域に設けられている、デバイス。
【請求項２４】
請求項２１に記載のデバイスにおいて、
前記組織ペネトレータは、前記第１アームの前記遠位端内に収容されるように形成されている、デバイス。
【請求項２５】
請求項２１に記載のデバイスにおいて、
前記シャフト及び前記第１アームの前記遠位端のチップには丸みが付けてあり、非外傷性である、デバイス。
【請求項２６】
請求項２１に記載のデバイスにおいて、更に、
少なくとも前記第１アームの前記遠位端領域を前記シャフトに対して軸線方向に移動するための第１制御装置を持つ近位ハンドルを含む、デバイス。
【請求項２７】
請求項２１に記載のデバイスにおいて、更に、
前記遠位開口部を横切る前記組織ペネトレータの延長及び引っ込めを制御するための組織ペネトレータ制御装置を持つ近位ハンドルを含む、デバイス。
【請求項２８】
請求項２１に記載のデバイスにおいて、更に、
前記シャフトの前記第２遠位端領域に設けられた複数のシャットルドックを含む、デバイス。
【請求項２９】
請求項２１に記載のデバイスにおいて、
前記組織ペネトレータは湾曲している、デバイス。
【請求項３０】
請求項２１に記載のデバイスにおいて、
前記組織ペネトレータは、縫合糸シャットルが解放自在に固定されるクリップ領域を含む、デバイス。
【請求項３１】
請求項２１に記載のデバイスにおいて、
前記シャフトは、前記デバイスから取り外すことができるように形成されている、デバイス。
【請求項３２】
請求項２１に記載のデバイスにおいて、更に、
前記デバイスの前記長さ方向軸線に沿った前記第１アームの遠位方向への前記第２アームに対する移動を制限する第１アームストップを含む、デバイス。
【請求項３３】
請求項２１に記載のデバイスにおいて、更に、
前記デバイスの前記遠位端から近位端までの長さ方向軸線に沿った前記第１アームの軸線方向位置を表示する複数のストップを含む、デバイス。
【請求項３４】
請求項２１に記載の半月板修復縫合糸パサー及び縫合糸シャットルを含むキット。
【請求項３５】
請求項３４に記載のキットにおいて、更に、
縫合糸を含む、キット。
【請求項３６】
断裂した半月板を修復するため、組織を連続的に縫合するための半月板修復縫合糸パサーデバイスにおいて、
少なくとも遠位端を長さ方向軸線に対して遠位方向及び近位方向に軸線方向に移動できる、長さ方向軸線に沿って遠位方向及び近位方向に延びる細長い第１アームと、
遠位端領域が前記長さ方向軸線から遠ざかる方向に湾曲しており、前記第１アームを遠位方向に延ばしたとき、前記第１アームとともにｖ字形状遠位開口部を形成する、前記長さ方向軸線に沿って延びる細長い第２アームと、
前記第１アームの前記遠位端領域内に収容された、前記第２アームと前記第１アームとの間の前記遠位開口部を横切って延び、縫合糸シャットルをこれらのアーム間に通すように形成された組織ペネトレータと、
前記第２アームの前記遠位端領域に設けられたシャットルドックとを含み、このシャットルドックは、前記組織ペネトレータ上への前記縫合糸シャットルの解放及び前記組織ペネトレータからの前記縫合糸シャットルの受け入れ及び保持を交互に行い、前記組織ペネトレータが前記縫合糸シャットルを前記第１アームから前記第２アームまで通し、前記第１アームに戻すことができるように形成されている、デバイス。